【手続補正書】
【提出日】平成30年11月22日(2018.11.22)
【手続補正１】
【補正対象書類名】特許請求の範囲
【補正対象項目名】全文
【補正方法】変更
【補正の内容】
【特許請求の範囲】
【請求項１】
冷房及び除湿モード、暖房及び加湿モード、ならびに／または暖房及び除湿モードにおいて運転可能な液体乾燥剤空調システムであって、前記システムは、
調節器であって、該調節器を通って流れ、空間に供給される第１の気流を処理し、前記冷房及び除湿モードにおいて前記第１の気流を冷却及び除湿し、前記暖房及び加湿モードにおいて前記第１の気流を加熱及び加湿し、前記暖房及び除湿モードにおいて前記第１の気流を加熱及び除湿するために伝熱流体及び液体乾燥剤を使用する調節器と、
再生器であって、前記液体乾燥剤が該再生器と前記調節器との間を循環可能なように前記調節器に接続され、前記冷房及び除湿モード、ならびに前記暖房及び除湿モードにおいて前記液体乾燥剤に水蒸気を第２の気流に放出させ、前記暖房及び加湿モードにおいて前記液体乾燥剤に前記第２の気流から水蒸気を吸収させる再生器と、
圧縮器と、冷媒を処理する少なくとも１つの膨張弁とを含む冷媒システムと、
前記冷媒システムによって加熱または冷却された前記冷媒と、前記調節器において使用された前記伝熱流体との間の熱交換を行うために、前記調節器と前記冷媒システムとに接続された第１の冷媒対伝熱流体熱交換器と、
前記冷媒システムによって加熱または冷却された前記冷媒と、前記再生器において使用された前記伝熱流体との間の熱交換を行うために、前記再生器と前記冷媒システムとに接続された第２の冷媒対伝熱流体熱交換器と、
前記空調システムが前記冷房及び除湿モードまたは前記暖房及び加湿モードにおいて運転しているときに、前記再生器において使用された前記伝熱流体と、第３の気流との間の熱交換を行う伝熱流体対空気熱交換器であって、前記空調システムが前記暖房及び除湿モードにおいて運転しているときに、前記第１の冷媒対伝熱流体熱交換器内を流れる前記伝熱流体と、前記第３の気流との間の熱交換を行うために前記第１の冷媒対伝熱流体熱交換器にまた接続された伝熱流体対空気熱交換器と、
前記空調システムの所与の運転モードにしたがって、前記調節器、前記第１の冷媒対伝熱流体熱交換器、前記第２の冷媒対伝熱流体熱交換器、前記伝熱流体対空気熱交換器、及び前記再生器における伝熱流体の流れを選択的に制御する弁システムと、
を備える、液体乾燥剤空調システム。
【請求項２】
前記冷房及び除湿モードにおいて、前記弁システムは、前記調節器において使用された前記伝熱流体を前記調節器と前記第１の冷媒対伝熱流体熱交換器との間に誘導し、前記再生器において使用された前記伝熱流体を直列または並列に、前記再生器と、前記第２の冷媒対伝熱流体熱交換器と、前記伝熱流体対空気熱交換器との間に誘導する、請求項１に記載の液体乾燥剤空調システム。
【請求項３】
前記暖房及び加湿モードにおいて、前記弁システムは、前記調節器において使用された伝熱流体を前記調節器と前記第１の冷媒対伝熱流体熱交換器との間に誘導し、前記再生器において使用された前記伝熱流体を直列または並列に、前記再生器と、前記第２の冷媒対伝熱流体熱交換器と、前記伝熱流体対空気熱交換器との間に誘導する、請求項１に記載の液体乾燥剤空調システム。
【請求項４】
前記暖房及び除湿モードにおいて、前記弁システムは、前記調節器用の前記伝熱流体を前記第１の冷媒対伝熱流体熱交換器と前記伝熱流体対空気熱交換器との間に誘導し、前記再生器において使用された前記伝熱流体を前記再生器と前記第２の冷媒対伝熱流体熱交換器との間に誘導する、請求項１に記載の液体乾燥剤空調システム。
【請求項５】
前記暖房及び除湿モードにおいて、前記調節器において伝熱流体が使用されておらず、前記調節器によって温かく乾燥した空気が出力されるように前記第１の気流が前記調節器において断熱的に除湿される、請求項４に記載の液体乾燥剤空調システム。
【請求項６】
前記液体乾燥剤空調システムは、前記冷房及び除湿モード、前記暖房及び加湿モード、ならびに前記暖房及び除湿モードのそれぞれにおいて選択的に運転可能である、請求項１に記載の液体乾燥剤空調システム。
【請求項７】
前記空調システムは、前記調節器が屋内ユニットを備え、前記再生器及び前記冷媒システムが屋外ユニットである小型のスプリット型システムである、請求項１に記載の液体乾燥剤空調システム。
【請求項８】
前記調節器は、略垂直方向に整列した複数の構造体を含み、各構造体は、前記液体乾燥剤が全体に流れることが可能な少なくとも１つの表面を有し、前記第１の気流は、前記液体乾燥剤が運転モードに応じて前記第１の気流を除湿または加湿するように前記構造体の間を流れ、各構造体は、前記構造体の前記少なくとも１つの表面を流れた液体乾燥剤を収集するための乾燥剤収集器を、前記少なくとも１つの表面の下端部にさらに含む、請求項１に記載の液体乾燥剤空調システム。
【請求項９】
前記複数の構造体のそれぞれは、前記伝熱流体が通って流れることのできる通路を含む、請求項８に記載の液体乾燥剤空調システム。
【請求項１０】
前記液体乾燥剤と前記第１の気流との間において各構造体の前記少なくとも１つの表面に近接配置された材料シートを更に備え、前記材料シートは、前記液体乾燥剤を前記構造体の前記乾燥剤収集器内に誘導し、前記液体乾燥剤と前記第１の気流との間の水蒸気の移動を可能にする、請求項８に記載の液体乾燥剤空調システム。
【請求項１１】
前記再生器は、略垂直方向に整列した複数の構造体を含み、各構造体は、前記液体乾燥剤が全体に流れることが可能な少なくとも１つの表面を有し、前記第２の気流は、前記液体乾燥剤が運転モードに応じて前記第２の気流を除湿または加湿するように前記構造体の間を流れ、各構造体は、前記構造体の前記少なくとも１つの表面を流れた液体乾燥剤を収集するための乾燥剤収集器を、前記少なくとも１つの表面の下端部にさらに含む、請求項１に記載の液体乾燥剤空調システム。
【請求項１２】
前記複数の構造体のそれぞれは、前記伝熱流体が通って流れることのできる通路を含む、請求項１１に記載の液体乾燥剤空調システム。
【請求項１３】
前記液体乾燥剤と前記第２の気流との間において各構造体の前記少なくとも１つの表面に近接配置された材料シートを更に備え、前記材料シートは、前記液体乾燥剤を前記構造体の前記乾燥剤収集器内に誘導し、前記液体乾燥剤と前記第２の気流との間の水蒸気の移動を可能にする、請求項１１に記載の液体乾燥剤空調システム。
【請求項１４】
前記調節器から前記再生器に流れる前記液体乾燥剤と、前記再生器から前記調節器に流れる前記液体乾燥剤との間の熱交換を行うための液体乾燥剤対液体乾燥剤熱交換器を更に備える、請求項１に記載の液体乾燥剤空調システム。
【請求項１５】
前記液体乾燥剤の過濃縮を防止するために前記液体乾燥剤に水を加える注水モジュールを更に備える、請求項１に記載の液体乾燥剤空調システム。
【請求項１６】
前記弁システムは、１つの４方向弁、４つの３方向弁、及び２つの流れ制御器を備える、請求項１に記載の液体乾燥剤空調システム。
【請求項１７】
前記調節器を退出した後に前記第１の気流の追加の顕熱冷却を提供するための間接蒸発式冷却器を更に備える、請求項１に記載の液体乾燥剤空調システム。
【手続補正２】
【補正対象書類名】明細書
【補正対象項目名】００５２
【補正方法】変更
【補正の内容】
【００５２】
このようにいくつか例示的な実施形態を説明してきたが、種々の変化形、修正形、及び改良形が容易に生じることが、当業者には明らかであろう。そのような変化形、修正形、及び改良形は、本開示の一部を成すことが意図され、本開示の趣旨及び範囲内に含まれることが意図される。本明細書に提示される一部の例は、機能または構造的要素の特定の組み合わせを含むが、それらの機能及び要素は、同じかまたは異なる目的を達成するために、本開示により別様に組み合わされてもよいことを理解されたい。特に、一実施形態に関連して考察される動作、要素、及び特徴は、他の実施形態における同様または別の役割から除外されることを意図するものではない。加えて、本明細書に記載される要素及び構成要素は、さらに、追加の構成要素に分割されるか、または同じ機能を行うために、一緒に結合されてより少ない構成要素を形成してもよい。したがって、前述の説明及び添付の図面は、例示に過ぎず、限定することを意図するものではない。なお、本願について特許法１８４条の４第１項の規定に基づいて提出した、出願当初の請求の範囲の翻訳文と同一の記載を以下に付記する。
＜付記１＞
冷房及び除湿モード、暖房及び加湿モード、ならびに／または暖房及び除湿モードにおいて運転可能な液体乾燥剤空調システムであって、前記システムは、
調節器であって、該調節器を通って流れ、空間に供給される第１の気流を処理し、前記冷房及び除湿モードにおいて前記第１の気流を冷却及び除湿し、前記暖房及び加湿モードにおいて前記第１の気流を加熱及び加湿し、前記暖房及び除湿モードにおいて前記第１の気流を加熱及び除湿するために伝熱流体及び液体乾燥剤を使用する調節器と、
再生器であって、前記液体乾燥剤が該再生器と前記調節器との間を循環可能なように前記調節器に接続され、前記冷房及び除湿モード、ならびに前記暖房及び除湿モードにおいて前記液体乾燥剤に水蒸気を第２の気流に放出させ、前記暖房及び加湿モードにおいて前記液体乾燥剤に前記第２の気流から水蒸気を吸収させる再生器と、
少なくとも１つの圧縮器、冷媒を処理する少なくとも１つの膨張弁、及び前記冷媒と第３の気流との間の熱交換を行う冷媒対空気熱交換器を含む冷媒システムと、
前記冷媒システムによって加熱または冷却された前記冷媒と、前記調節器において使用された前記伝熱流体との間の熱交換を行うために、前記調節器と前記冷媒システムとに接続された第１の冷媒対伝熱流体熱交換器と、
前記冷媒システムによって加熱または冷却された前記冷媒と、前記再生器において使用された前記伝熱流体との間の熱交換を行うために、前記再生器と前記冷媒システムとに接続された第２の冷媒対伝熱流体熱交換器と、
前記空調システムの所与の運転モードにしたがって、前記少なくとも１つの圧縮器、前記少なくとも１つの膨張弁、前記第１の冷媒対伝熱流体熱交換器、前記第２の冷媒対伝熱流体熱交換器、及び前記冷媒対空気熱交換器における前記冷媒の流れを選択的に制御する弁システムと、
を備える、液体乾燥剤空調システム。
＜付記２＞
前記冷房及び除湿モードにおいて、前記弁システムは、前記冷媒システム内の前記冷媒を前記圧縮器から、直列または並列に前記第２の冷媒対伝熱流体熱交換器及び前記冷媒対空気熱交換器、前記少なくとも１つの膨張弁、前記第１の冷媒対伝熱流体熱交換器に誘導し、前記圧縮器に戻す、付記１に記載の液体乾燥剤空調システム。
＜付記３＞
前記暖房及び加湿モードにおいて、前記弁システムは、前記冷媒システム内の前記冷媒を前記圧縮器から、前記第１の冷媒対伝熱流体熱交換器、前記少なくとも１つの膨張弁、直列または並列に前記第２の冷媒対伝熱流体熱交換器及び前記冷媒対空気熱交換器に誘導し、前記圧縮器に戻す、付記１に記載の液体乾燥剤空調システム。
＜付記４＞
前記暖房及び除湿モードにおいて、前記弁システムは、前記冷媒システム内の前記冷媒を前記圧縮器から、前記第２の冷媒対伝熱流体熱交換器、前記少なくとも１つの膨張弁、前記冷媒対空気熱交換器に誘導し、前記圧縮器に戻す、付記１に記載の液体乾燥剤空調システム。
＜付記５＞
前記暖房及び除湿モードにおいて、前記第１の冷媒対伝熱流体熱交換器が作動しておらず、前記調節器によって温かく乾燥した気流が出力されるように前記第１の気流が前記調節器において断熱的に除湿される、付記４に記載の液体乾燥剤空調システム。
＜付記６＞
前記液体乾燥剤空調システムは、前記冷房及び除湿モード、前記暖房及び加湿モード、ならびに前記暖房及び除湿モードのそれぞれにおいて運転可能である、付記１に記載の液体乾燥剤空調システム。
＜付記７＞
前記空調システムは、前記調節器が屋内ユニットを備え、前記再生器及び前記冷媒システムが屋外ユニットである小型のスプリット型システムである、付記１に記載の液体乾燥剤空調システム。
＜付記８＞
前記調節器は、略垂直方向に整列した複数の構造体を含み、各構造体は、前記液体乾燥剤が全体に流れることが可能な少なくとも１つの表面を有し、前記第１の気流は、前記液体乾燥剤が運転モードに応じて前記第１の気流を除湿または加湿するように前記構造体の間を流れ、各構造体は、前記構造体の前記少なくとも１つの表面を流れた液体乾燥剤を収集するための乾燥剤収集器を、前記少なくとも１つの表面の下端部にさらに含む、付記１に記載の液体乾燥剤空調システム。
＜付記９＞
前記複数の構造体のそれぞれは、前記伝熱流体が通って流れることのできる通路を含む、付記８に記載の液体乾燥剤空調システム。
＜付記１０＞
前記液体乾燥剤と前記第１の気流との間において各構造体の前記少なくとも１つの表面に近接配置された材料シートを更に備え、前記材料シートは、前記液体乾燥剤を前記構造体の前記乾燥剤収集器内に誘導し、前記液体乾燥剤と前記第１の気流との間の水蒸気の移動を可能にする、付記８に記載の液体乾燥剤空調システム。
＜付記１１＞
前記再生器は、略垂直方向に整列した複数の構造体を含み、各構造体は、前記液体乾燥剤が全体に流れることが可能な少なくとも１つの表面を有し、前記第２の気流は、前記液体乾燥剤が運転モードに応じて前記第３の気流を除湿または加湿するように前記構造体の間を流れ、各構造体は、前記構造体の前記少なくとも１つの表面を流れた液体乾燥剤を収集するための乾燥剤収集器を、前記少なくとも１つの表面の下端部にさらに含む、付記１に記載の液体乾燥剤空調システム。
＜付記１２＞
前記複数の構造体のそれぞれは、前記伝熱流体が通って流れることのできる通路を含む、付記１１に記載の液体乾燥剤空調システム。
＜付記１３＞
前記液体乾燥剤と前記第３の気流との間において各構造体の前記少なくとも１つの表面に近接配置された材料シートを更に備え、前記材料シートは、前記液体乾燥剤を前記構造体の前記乾燥剤収集器内に誘導し、前記液体乾燥剤と前記第２の気流との間の水蒸気の移動を可能にする、付記１１に記載の液体乾燥剤空調システム。
＜付記１４＞
前記調節器から前記再生器に流れる前記液体乾燥剤と、前記再生器から前記調節器に流れる前記液体乾燥剤との間の熱交換を行うための液体乾燥剤対液体乾燥剤熱交換器を更に備える、付記１に記載の液体乾燥剤空調システム。
＜付記１５＞
前記液体乾燥剤の過濃縮を防止するために前記液体乾燥剤に水を加える注水モジュールを更に備える、付記１に記載の液体乾燥剤空調システム。
＜付記１６＞
前記弁システムは、１つの４方向弁、３つの３方向弁、及び２つの流れ制御器を備える、付記１に記載の液体乾燥剤空調システム。
＜付記１７＞
前記弁システムは、２つのねじれ形４方向弁を備える、付記１に記載の液体乾燥剤空調システム。
＜付記１８＞
前記調節器を退出した後に前記第１の気流の追加の顕熱冷却を提供するための間接蒸発式冷却器を更に備える、付記１に記載の液体乾燥剤空調システム。
＜付記１９＞
冷房及び除湿モード、暖房及び加湿モード、ならびに／または暖房及び除湿モードにおいて運転可能な液体乾燥剤空調システムであって、前記システムは、
調節器であって、該調節器を通って流れ、空間に供給される第１の気流を処理し、前記冷房及び除湿モードにおいて前記第１の気流を冷却及び除湿し、前記暖房及び加湿モードにおいて前記第１の気流を加熱及び加湿し、前記暖房及び除湿モードにおいて前記第１の気流を加熱及び除湿するために伝熱流体及び液体乾燥剤を使用する調節器と、
再生器であって、前記液体乾燥剤が該再生器と前記調節器との間を循環可能なように前記調節器に接続され、前記冷房及び除湿モード、ならびに前記暖房及び除湿モードにおいて前記液体乾燥剤に水蒸気を第２の気流に放出させ、前記暖房及び加湿モードにおいて前記液体乾燥剤に前記第２の気流から水蒸気を吸収させる再生器と、
圧縮器と、冷媒を処理する少なくとも１つの膨張弁とを含む冷媒システムと、
前記冷媒システムによって加熱または冷却された前記冷媒と、前記調節器において使用された前記伝熱流体との間の熱交換を行うために、前記調節器と前記冷媒システムとに接続された第１の冷媒対伝熱流体熱交換器と、
前記冷媒システムによって加熱または冷却された前記冷媒と、前記再生器において使用された前記伝熱流体との間の熱交換を行うために、前記再生器と前記冷媒システムとに接続された第２の冷媒対伝熱流体熱交換器と、
前記空調システムが前記冷房及び除湿モードまたは前記暖房及び加湿モードにおいて運転しているときに、前記再生器において使用された前記伝熱流体と、第３の気流との間の熱交換を行う伝熱流体対空気熱交換器であって、前記空調システムが前記暖房及び除湿モードにおいて運転しているときに、前記第１の冷媒対伝熱流体熱交換器内を流れる前記伝熱流体と、前記第３の気流との間の熱交換を行うために前記第１の冷媒対伝熱流体熱交換器にまた接続された伝熱流体対空気熱交換器と、
前記空調システムの所与の運転モードにしたがって、前記調節器、前記第１の冷媒対伝熱流体熱交換器、前記第２の冷媒対伝熱流体熱交換器、前記伝熱流体対空気熱交換器、及び前記再生器における伝熱流体の流れを選択的に制御する弁システムと、
を備える、液体乾燥剤空調システム。
＜付記２０＞
前記冷房及び除湿モードにおいて、前記弁システムは、前記調節器において使用された前記伝熱流体を前記調節器と前記第１の冷媒対伝熱流体熱交換器との間に誘導し、前記再生器において使用された前記伝熱流体を直列または並列に、前記再生器と、前記第２の冷媒対伝熱流体熱交換器と、前記伝熱流体対空気熱交換器との間に誘導する、付記１９に記載の液体乾燥剤空調システム。
＜付記２１＞
前記暖房及び加湿モードにおいて、前記弁システムは、前記調節器において使用された伝熱流体を前記調節器と前記第１の冷媒対伝熱流体熱交換器との間に誘導し、前記再生器において使用された前記伝熱流体を直列または並列に、前記再生器と、前記第２の冷媒対伝熱流体熱交換器と、前記伝熱流体対空気熱交換器との間に誘導する、付記１９に記載の液体乾燥剤空調システム。
＜付記２２＞
前記暖房及び除湿モードにおいて、前記弁システムは、前記調節器用の前記伝熱流体を前記第１の冷媒対伝熱流体熱交換器と前記伝熱流体対空気熱交換器との間に誘導し、前記再生器において使用された前記伝熱流体を前記再生器と前記第２の冷媒対伝熱流体熱交換器との間に誘導する、付記１９に記載の液体乾燥剤空調システム。
＜付記２３＞
前記暖房及び除湿モードにおいて、前記調節器において伝熱流体が使用されておらず、前記調節器によって温かく乾燥した空気が出力されるように前記第１の気流が前記調節器において断熱的に除湿される、付記２２に記載の液体乾燥剤空調システム。
＜付記２４＞
前記液体乾燥剤空調システムは、前記冷房及び除湿モード、前記暖房及び加湿モード、ならびに前記暖房及び除湿モードのそれぞれにおいて選択的に運転可能である、付記１９に記載の液体乾燥剤空調システム。
＜付記２５＞
前記空調システムは、前記調節器が屋内ユニットを備え、前記再生器及び前記冷媒システムが屋外ユニットである小型のスプリット型システムである、付記１９に記載の液体乾燥剤空調システム。
＜付記２６＞
前記調節器は、略垂直方向に整列した複数の構造体を含み、各構造体は、前記液体乾燥剤が全体に流れることが可能な少なくとも１つの表面を有し、前記第１の気流は、前記液体乾燥剤が運転モードに応じて前記第１の気流を除湿または加湿するように前記構造体の間を流れ、各構造体は、前記構造体の前記少なくとも１つの表面を流れた液体乾燥剤を収集するための乾燥剤収集器を、前記少なくとも１つの表面の下端部にさらに含む、付記１９に記載の液体乾燥剤空調システム。
＜付記２７＞
前記複数の構造体のそれぞれは、前記伝熱流体が通って流れることのできる通路を含む、付記２６に記載の液体乾燥剤空調システム。
＜付記２８＞
前記液体乾燥剤と前記第１の気流との間において各構造体の前記少なくとも１つの表面に近接配置された材料シートを更に備え、前記材料シートは、前記液体乾燥剤を前記構造体の前記乾燥剤収集器内に誘導し、前記液体乾燥剤と前記第１の気流との間の水蒸気の移動を可能にする、付記２６に記載の液体乾燥剤空調システム。
＜付記２９＞
前記再生器は、略垂直方向に整列した複数の構造体を含み、各構造体は、前記液体乾燥剤が全体に流れることが可能な少なくとも１つの表面を有し、前記第２の気流は、前記液体乾燥剤が運転モードに応じて前記第２の気流を除湿または加湿するように前記構造体の間を流れ、各構造体は、前記構造体の前記少なくとも１つの表面を流れた液体乾燥剤を収集するための乾燥剤収集器を、前記少なくとも１つの表面の下端部にさらに含む、付記１９に記載の液体乾燥剤空調システム。
＜付記３０＞
前記複数の構造体のそれぞれは、前記伝熱流体が通って流れることのできる通路を含む、付記２９に記載の液体乾燥剤空調システム。
＜付記３１＞
前記液体乾燥剤と前記第２の気流との間において各構造体の前記少なくとも１つの表面に近接配置された材料シートを更に備え、前記材料シートは、前記液体乾燥剤を前記構造体の前記乾燥剤収集器内に誘導し、前記液体乾燥剤と前記第２の気流との間の水蒸気の移動を可能にする、付記２９に記載の液体乾燥剤空調システム。
＜付記３２＞
前記調節器から前記再生器に流れる前記液体乾燥剤と、前記再生器から前記調節器に流れる前記液体乾燥剤との間の熱交換を行うための液体乾燥剤対液体乾燥剤熱交換器を更に備える、付記１９に記載の液体乾燥剤空調システム。
＜付記３３＞
前記液体乾燥剤の過濃縮を防止するために前記液体乾燥剤に水を加える注水モジュールを更に備える、付記１９に記載の液体乾燥剤空調システム。
＜付記３４＞
前記弁システムは、１つの４方向弁、４つの３方向弁、及び２つの流れ制御器を備える、付記１９に記載の液体乾燥剤空調システム。
＜付記３５＞
前記調節器を退出した後に前記第１の気流の追加の顕熱冷却を提供するための間接蒸発式冷却器を更に備える、付記１９に記載の液体乾燥剤空調システム。
＜付記３６＞
冷房及び除湿モード、暖房及び加湿モード、ならびに／または暖房及び除湿モードにおいて運転可能な液体乾燥剤空調システムであって、前記システムは、
調節器であって、該調節器を通って流れ、空間に供給される第１の気流を処理し、前記冷房及び除湿モードにおいて前記第１の気流を冷却及び除湿し、前記暖房及び加湿モードにおいて前記第１の気流を加熱及び加湿し、前記暖房及び除湿モードにおいて前記第１の気流を加熱及び除湿するために伝熱流体及び液体乾燥剤を使用する調節器と、
再生器であって、前記液体乾燥剤が該再生器と前記調節器との間を循環可能なように前記調節器に接続され、前記冷房及び除湿モード、ならびに前記暖房及び除湿モードにおいて前記液体乾燥剤に水蒸気を第２の気流に放出させ、前記暖房及び加湿モードにおいて前記液体乾燥剤に前記第２の気流から水蒸気を吸収させる再生器と、
加熱装置及び冷却装置を含む加熱及び冷却システムと、
前記伝熱流体が選択的に前記加熱装置によって加熱、または前記冷却装置によって冷却されるように、前記調節器において使用された前記伝熱流体の流れを制御し、前記再生器において使用された前記伝熱流体が選択的に前記加熱装置によって加熱されるように、前記再生器において使用された前記伝熱流体の流れを制御する弁システムと、
を備える、液体乾燥剤空調システム。
＜付記３７＞
前記冷房及び除湿モードにおいて、前記弁システムは、前記調節器において使用された前記伝熱流体が前記冷却装置によって冷却されるように前記調節器において使用された前記伝熱流体を誘導し、前記再生器において使用された前記伝熱流体が前記加熱装置によって加熱されるように前記再生器において使用された前記伝熱流体を誘導する、付記３６に記載の液体乾燥剤空調システム。
＜付記３８＞
前記暖房及び加湿モードにおいて、前記弁システムは、前記調節器において使用された前記伝熱流体が前記加熱装置によって加熱されるように前記調節器において使用された前記伝熱流体を誘導し、前記加熱装置は、前記再生器において使用された前記伝熱流体を加熱しない、付記３６に記載の液体乾燥剤空調システム。
＜付記３９＞
前記暖房及び除湿モードにおいて、前記弁システムは、前記調節器用の伝熱流体が前記加熱装置によって加熱されるように前記調節器用の伝熱流体を誘導し、前記再生器において使用された前記伝熱流体が前記加熱装置によって加熱されるように前記再生器において使用された前記伝熱流体を誘導する、付記３６に記載の液体乾燥剤空調システム。
＜付記４０＞
前記冷却装置は、冷却塔、蒸発式冷却器、または地熱式熱交換器を含む地熱ループを備える、付記３６に記載の液体乾燥剤空調システム。
＜付記４１＞
前記冷却装置は、略垂直方向に整列した複数の構造体を含む蒸発式冷却器を備え、各構造体は、蒸発用の水が全体に流れることが可能な少なくとも１つの表面を有し、第３の気流が、前記蒸発用の水が前記第３の気流を加湿するように前記構造体の間を流れ、材料シートが、前記蒸発用の水と前記第３の気流との間において各構造体の前記少なくとも１つの表面に近接配置され、前記材料シートは、前記蒸発用の水から前記第３の気流への水蒸気の移動を可能とし、前記蒸発用の水は、海水または廃水を含む、付記３６に記載の液体乾燥剤空調システム。
＜付記４２＞
前記液体乾燥剤空調システムは、前記冷房及び除湿モード、前記暖房及び加湿モード、ならびに前記暖房及び除湿モードのそれぞれにおいて選択的に運転可能である、付記３６に記載の液体乾燥剤空調システム。
＜付記４３＞
前記空調システムは、前記調節器が屋内ユニットを備え、前記再生器、ならびに前記加熱及び冷却システムが屋外ユニットである小型のスプリット型システムである、付記３６に記載の液体乾燥剤空調システム。
＜付記４４＞
前記調節器は、略垂直方向に整列した複数の構造体を含み、各構造体は、前記液体乾燥剤が全体に流れることが可能な少なくとも１つの表面を有し、前記第１の気流は、前記液体乾燥剤が運転モードに応じて前記第１の気流を除湿または加湿するように前記構造体の間を流れ、各構造体は、前記構造体の前記少なくとも１つの表面を流れた液体乾燥剤を収集するための乾燥剤収集器を、前記少なくとも１つの表面の下端部にさらに含む、付記３６に記載の液体乾燥剤空調システム。
＜付記４５＞
前記複数の構造体のそれぞれは、前記伝熱流体が通って流れることのできる通路を含む、付記４４に記載の液体乾燥剤空調システム。
＜付記４６＞
前記液体乾燥剤と前記第１の気流との間において各構造体の前記少なくとも１つの表面に近接配置された材料シートを更に備え、前記材料シートは、前記液体乾燥剤を前記構造体の前記乾燥剤収集器内に誘導し、前記液体乾燥剤と前記第１の気流との間の水蒸気の移動を可能にする、付記４４に記載の液体乾燥剤空調システム。
＜付記４７＞
前記再生器は、略垂直方向に整列した複数の構造体を含み、各構造体は、前記液体乾燥剤が全体に流れることが可能な少なくとも１つの表面を有し、前記第２の気流は、前記液体乾燥剤が運転モードに応じて前記第２の気流を除湿または加湿するように前記構造体の間を流れ、各構造体は、前記構造体の前記少なくとも１つの表面を流れた液体乾燥剤を収集するための乾燥剤収集器を、前記少なくとも１つの表面の下端部にさらに含む、付記３６に記載の液体乾燥剤空調システム。
＜付記４８＞
前記複数の構造体のそれぞれは、前記伝熱流体が通って流れることのできる通路を含む、付記４７に記載の液体乾燥剤空調システム。
＜付記４９＞
前記液体乾燥剤と前記第２の気流との間において各構造体の前記少なくとも１つの表面に近接配置された材料シートを更に備え、前記材料シートは、前記液体乾燥剤を前記構造体の前記乾燥剤収集器内に誘導し、前記液体乾燥剤と前記第２の気流との間の水蒸気の移動を可能にする、付記４７に記載の液体乾燥剤空調システム。
＜付記５０＞
前記調節器を退出した後に前記第１の気流の追加の顕熱冷却を提供するための間接蒸発式冷却器を更に備える、付記３６に記載の液体乾燥剤空調システム。
＜付記５１＞
前記調節器から前記再生器に流れる前記液体乾燥剤と、前記再生器から前記調節器に流れる前記液体乾燥剤との間の熱交換を行うための液体乾燥剤対液体乾燥剤熱交換器を更に備える、付記３６に記載の液体乾燥剤空調システム。
＜付記５２＞
前記液体乾燥剤の過濃縮を防止するために前記液体乾燥剤に水を加える注水モジュールを更に備える、付記３６に記載の液体乾燥剤空調システム。
＜付記５３＞
冷房及び除湿モード、暖房及び加湿モード、ならびに暖房及び除湿モードにおいて液体乾燥剤空調システムを運転する方法であって、前記方法は、
（ａ）前記冷房及び除湿モードにおいて、給気流が調節器で伝熱流体を使用して冷却され、液体乾燥剤を使用して除湿され、前記調節器で使用された前記液体乾燥剤が再生器で再生され、前記調節器で使用された前記伝熱流体が冷媒システムで冷却されるように、（ｂ）前記暖房及び加湿モードにおいて、前記給気流が前記調節器で前記伝熱流体を使用して加熱され、前記液体乾燥剤を使用して加湿され、前記調節器で使用された前記液体乾燥剤が前記再生器または注水システムで薄められ、前記調節器で使用された前記伝熱流体が前記冷媒システムで加熱されるように、ならびに（ｃ）暖房及び除湿モードにおいて、前記給気流が前記調節器で前記液体乾燥剤を使用して加熱及び除湿され、前記調節器で使用された前記液体乾燥剤が前記再生器で再生されるように、前記液体乾燥剤空調システムにおける弁システムを調節することを含む、方法。
＜付記５４＞
前記冷房及び除湿モードにおいて、前記弁システムは、前記冷媒システム内の冷媒を圧縮器から、前記再生器で使用された前記伝熱流体を加熱するための、及び／または冷媒対空気熱交換器で気流を加熱するための熱交換器、膨張弁、前記調節器で使用された前記伝熱流体を冷却するための熱交換器に誘導し、前記圧縮器に戻すように調節されている、付記５３に記載の方法。
＜付記５５＞
前記暖房及び加湿モードにおいて、前記弁システムは、冷媒システム内の冷媒を圧縮器から、前記調節器で使用された前記伝熱流体を加熱するための熱交換器、膨張弁、前記再生器で使用された前記伝熱流体を冷却するための、及び／または冷媒対空気熱交換器で気流を冷却するための熱交換器に誘導し、前記圧縮器に戻すように調節されている、付記５３に記載の方法。
＜付記５６＞
前記暖房及び除湿モードにおいて、前記弁システムは、前記冷媒システム内の冷媒を圧縮器から、前記再生器で使用された前記伝熱流体を加熱するための熱交換器、膨張弁、冷媒対空気熱交換器に誘導し、前記圧縮器に戻すように調節されている、付記５３に記載の方法。